(57)【要約】【課題】毛髪に部分的に違った処理を施す場合でも、無駄なく行うことができ、各処理を行うときに処理剤の誤使用を防ぐことができる毛髪処理具を提供すること。【解決手段】本発明の毛髪保持具１は、一端部の開口部から他端部に向けて毛髪束を挿入して保持する筒状の毛髪保持体２と、該毛髪保持体内に注入される適量の毛髪処理剤が充填袋３０に封入された毛髪処理剤入り充填袋３とからなり、充填袋３０を開封して毛髪保持体２内に前記毛髪処理剤を注入し、毛髪保持体２をしごいて該毛髪処理剤を広げて使用するものである。毛髪保持体２は、一端部の開口部に毛髪束の挿入口２１を有し且つ他端部の開口部に毛髪処理剤の注入口２２を有し、充填袋３０は、開封したときに注入口２２に挿入可能な口部３１が形成されるようになされている。【選択図】図１
2008061961.tif 000002
【特許請求の範囲】
【請求項１】
一端部の開口部から他端部に向けて毛髪束を挿入して保持する筒状の毛髪保持体と、該毛髪保持体内に注入される適量の毛髪処理剤が充填袋に封入された毛髪処理剤入り充填袋とからなり、
前記充填袋を開封して前記毛髪保持体内に前記毛髪処理剤を注入し、該毛髪保持体をしごいて該毛髪処理剤を広げて使用する毛髪処理具であって、
前記毛髪保持体は、一端部の開口部に毛髪束の挿入口を有し且つ他端部の開口部に毛髪処理剤の注入口を有し、
前記充填袋は、開封したときに前記注入口に挿入可能な口部が形成されるようになされている毛髪処理具。
【請求項２】
前記毛髪処理剤入り充填袋は、前記充填袋を前記毛髪処理剤の注入口に挿入したときに、該充填袋の抜け落ちを防ぐ抜け落ち防止構造を有している請求項１に記載の毛髪処理具。
【請求項３】
前記毛髪処理剤が複数の処理剤からなり、前記充填袋は、前記各処理剤を個別に収容した袋が一体化されて設けられている請求項１又は２に記載の毛髪処理具。
【請求項４】
前記処理剤を個別に収容した前記充填袋は、何れかの一面が他の面よりも剛性が高く設けられている請求項３に記載の毛髪処理具。
【請求項５】
前記毛髪保持体は、しごく範囲の終点が視覚的又は／及び触覚的に分かるように設けられている請求項１〜４の何れかに記載の毛髪処理具。
【請求項６】
前記毛髪保持体の他端部にある毛髪処理剤の注入口の近傍に、前記充填袋の口部を挿入する目印が付されている請求項１〜５の何れかに記載の毛髪処理具。
【請求項７】
請求項１に記載の毛髪処理具を使用した毛髪処理方法であって、
処理を施す毛髪束を前記挿入口から挿入して前記毛髪保持体内に保持した後、前記充填袋の口部を前記注入口から挿入して前記毛髪処理剤を注入し、前記毛髪保持体をしごいて前記毛髪処理剤を広げて前記毛髪束に処理を施す毛髪処理方法。
【発明の詳細な説明】
【技術分野】
【０００１】
本発明は、毛髪に部分的な染色やパーマ等の処理を施す毛髪処理具及びそれを使用した毛髪処理方法に関する。
【背景技術】
【０００２】
近年、毛髪に部分的に染色やパーマ等の処理を施すことが行われている。このような処理を施すときに使用される器具として、例えば、下記特許文献１に記載の毛髪処理具が提案されている。この毛髪処理具は、可撓性の筒状体から構成される毛髪保持具と、この毛髪保持具内に処理剤を注入する注入具とから構成され、該筒状体の一方の開口部から毛髪束を該筒状体内へ導いて保持し、該筒状体内に処理剤を注入し前記毛髪束に処理を施すように設けられている。このような毛髪保持具は、筒状体の形成材料として処理剤に対して非透過性の材料を用いることにより、毛髪保持具に挿入されている毛髪以外の毛髪に処理剤が触れることが防止されるので、毛髪の一部に効果的に処理を施すことができる。
【０００３】
【特許文献１】特開２００４−４１７２３号公報
【発明の開示】
【発明が解決しようとする課題】
【０００４】
しかし、上記特許文献１に開示された毛髪処理具では、毛髪処理に必要な一定量の処理剤を供給することが困難であり、部分的にムラに染まったり、処理剤の量が不足して所望の色が出せないといった課題があった。また、一般的に行われている染毛剤は２種類の剤を、予めトレーの上やボトルで予め混合してから供給することが必要であったため、処理に手間がかかるという課題があった。
また最近では、毛髪を部分的に異なった色で染めるといった染毛手法が望まれる場合がある。しかし、従来の毛髪処理具は、全て同じ色に染めるといったように、処理を施す部分に全て同じ処理を施すことを前提として考えられていたため、次のような不都合が生じていた。（１）処理剤や注入具が全ての処理に対応して処理が行えるように設けられているため、異なる色に染めるといった処理を施したい場合には対応できず、処理の種類に合わせて毛髪処理具を用意しなければならないため、不経済であった。（２）一種類の処理に必要な処理剤の量は少量で十分であるため、処理剤が余ってしまい、使い切りで再使用ができないこの種の処理剤は、廃棄する以外なく、不経済であった。
【０００５】
従って、本発明の目的は、前述した従来技術が有する欠点を解消し得る毛髪処理具及び毛髪処理方法を提供することにある。
【課題を解決するための手段】
【０００６】
本発明は、一端部の開口部から他端部に向けて毛髪束を挿入して保持する筒状の毛髪保持体と、該毛髪保持体内に注入される適量の毛髪処理剤が充填袋に封入された毛髪処理剤入り充填袋とからなり、前記充填袋を開封して前記毛髪保持体内に前記毛髪処理剤を注入し、該毛髪保持体をしごいて該毛髪処理剤を広げて使用する毛髪処理具であって、前記毛髪保持体は、一端部の開口部に毛髪束の挿入口を有し且つ他端部の開口部に毛髪処理剤の注入口を有し、前記充填袋は、開封したときに前記注入口に挿入可能な口部が形成されるようになされている毛髪処理具を提供することにより、上記目的を達成したものである。
【０００７】
また、本発明は、上記本発明の毛髪処理具を使用した毛髪処理方法であって、処理を施す毛髪束を前記挿入口から挿入して前記毛髪保持体内に保持した後、前記充填袋の口部を前記注入口から挿入して前記毛髪処理剤を注入し、前記毛髪保持体をしごいて前記毛髪処理剤を広げて前記毛髪束に処理を施す毛髪処理方法を提供することにより、前記目的を達成したものである。
【発明の効果】
【０００８】
本発明の毛髪処理具及び毛髪処理方法によれば、毛髪に適量の処理剤を確実に供給可能であり、かつ部分的に違った処理を施す場合や複数回に分けて使用する場合でも、少量の剤を使い切るため無駄なく行うことができる。また、各処理を行うときに処理剤の誤使用を防ぐことができる。
【発明を実施するための最良の形態】
【０００９】
以下、本発明の毛髪保持具を、その好ましい実施形態に基づいて、図面を参照しながら説明する。
【００１０】
図１〜図３は、本発明の毛髪処理具を染毛処理具に適用した第１実施形態を示すものである。これらの図に示すように、本実施形態の毛髪処理具１は、毛髪束が挿入されて保持される筒状の毛髪保持体２と、毛髪保持体２内に注入される適量の染毛剤（毛髪処理剤）が充填袋３０に封入された毛髪処理剤入り充填袋３とから構成されている。
【００１１】
毛髪処理具１は、後述するように、毛髪保持体２内に毛髪を保持した後、毛髪処理剤入り充填袋３の充填袋３０を開封して毛髪保持体２内に毛髪処理剤を注入し、毛髪保持体２をしごいて該毛髪処理剤を広げて使用される。
【００１２】
毛髪保持体２は、筒状体２０を主体として構成されている。毛髪保持体２は、毛髪束の挿入口２１及び染毛剤の注入口２２を有している。本実施形態では、一端部の開口部が挿入口２１、他端部の開口部が染毛剤の注入口２２とされている。筒状体２０は、無色透明な一対の短冊状のシート２３、２３の両側部２４、２４が接合されて形成されている。
【００１３】
筒状体２０の長さは、処理を施す毛髪の長さに応じて適切な長さとされ、好ましくは処理を施す毛髪の長さよりも長く設定される。また、筒状体２０の開口部は長円形状又は円形状であり、その大きさは、挿入する毛髪束の量に応じて適切な大きさに設定される。筒状体２０の長さＬ２０は５０〜６００ｍｍ、開口部（挿入口２１、注入口２２）の大きさは、長径５〜１００ｍｍ、短径２〜４０ｍｍ程度の範囲である。長径と短径が等しい場合には筒状体２０の開口部は円形状となる。
【００１４】
シート２３は、染毛剤に対して非透過性の材料から形成されており、染毛剤が筒状体２０の周面から外に漏れ出すことはない。その結果、毛髪保持体２に挿入されている毛髪束以外の毛髪が染毛されることが防止される。従って、本実施形態の毛髪保持体２を用いた染毛処理は、頭髪の部分的な染毛に特に効果的である。また、染毛剤は、毛髪保持体２内に比較的気密状態で存在することになるので、染毛剤に揮発成分が含まれている場合には、染毛中に該揮発成分が揮発することが防止され、染毛処理を効率的に行えるという利点もある。
【００１５】
前述したシート２３の形成材料としては、ポリエチレン、ポリプロピレン等のポリオレフィン、ポリエチレンテレフタレート等のポリエステル、ナイロン、ポリスチレン、塩化ビニル等の合成樹脂単体で製造されたフィルム、前記合成樹脂をブレンドして製造されたフィルムあるいは前記フィルムを多層にラミネートした合成樹脂フィルム等が好ましく用いられる。
【００１６】
本実施形態の毛髪保持体２は、毛髪束の挿入口２１から染毛剤が漏れ出ないように、筒状体２０をしごく範囲の終点Ｅが、毛髪束の挿入口２１の近傍に触覚的及び視覚的に分かるように設けられている。
【００１７】
本実施形態では、筒状体２０に終点Ｅを示す段差部が設けられている。ここで、毛髪束の挿入口２１の近傍とは、毛髪束の所望長さを染毛でき且つ筒状体２０から染毛剤が漏れ出ない程度に近いという意味であり、毛髪に対する染毛する長さ及び筒状体２０に注入された染毛剤の量で適宜決めることができる。段差部は、図２に示すように、筒状体２０の厚み方向に段差を有している。筒状体２０における終点Ｅを示す段差部は、前述の様に挿入口２１の近傍に設けられており、他の部位よりも厚く設けられている。このため、筒状体２０を、注入口２２側から挿入口２１へ向かって指でしごいていくと、指が終点Ｅを示す段差部に当接することで、筒状体２０をそれ以上しごくことが防止される。また、終点Ｅを示す段差部は、視覚的にも分かる。
【００１８】
筒状体２０の挿入口２１の近傍は、矩形形状のシート片２５が、筒状体２０の一端部におけるシート２３の外面に接合されて、その厚みが筒状体２０の他の部位よりも大きく形成されている。段差部の段差は、シート片２５の下端縁で形成されている。
筒状体２０のしごく範囲の終点Ｅを示す部位には、前述の段差部に加えて、シート片２５の面の部分も含まれる。シート片２５が接合されている部分は、筒状体２０における他の部位よりも厚いため、シート片２５の面の部分も触覚的及び視覚的に終点Ｅを示す部位として認知される。
【００１９】
シート片２５は、矩形形状であり、その厚みは、０．１〜５ｍｍ、特に０．５〜２ｍｍであることが、筒状体２０をしごく範囲の終点Ｅを示す部位が触覚的に明確に分かる点で好ましい。
【００２０】
シート片２５の幅は、筒状体２０の幅と略同じである。シート片２５における筒状体２０の長手方向における長さＬ２５は、５〜１００ｍｍ、特に１０〜４０ｍｍであることが、一端部の挿入口２１から染毛剤が漏れ出ることを防止する上で好ましい。シート片２５は、その一辺が、筒状体２０の上端縁に揃えられて接合されている。
【００２１】
また、本実施形態の毛髪保持体２において、終点Ｅを示す部位を形成するシート片２５は、筒状体２０における他の部位とは異なる色に着色されていることも好ましい。筒状体２０をしごく範囲の終点Ｅを示す部位が、他の部位とは異なる色に着色されていることにより、筒状体２０をしごく範囲の終点Ｅを示す部位が視覚的にも更に分かり易くなるからである。
【００２２】
本実施形態の毛髪保持体２において、シート片２５は、有色透明に着色されていても良いが、シート２３が無色透明であるので、不透明又は半透明に着色されていることが、終点Ｅを示す部位が視覚的に一層分かり易くなる上で好ましい。
【００２３】
更に、本実施形態の毛髪保持体２において、シート２３にシート片２５が接合されている部位は、その可撓性が低下し、シート２３の他の部位よりも高剛性を有する高剛性部Ｐとなされている。従って、本実施形態の毛髪保持体２は、筒状体２０をしごく範囲の終点Ｅを示す部位が、更に触覚的に分かり易くなされている。
【００２４】
高剛性部Ｐのテーバーこわさは、０．５〜１０ｍＮ・ｍ、特に１〜５ｍＮ・ｍであることが、終点Ｅを示す部位としての高剛性を確保しつつ、毛髪保持体２の可撓性を維持する上で好ましい。ここで、高剛性部Ｐのテーバーこわさは、ＪＩＳ−Ｐ８１２５に示される方法で測定される。
【００２５】
シート片２５の形成材料としては、前述したシート２３と同じ材料を用いても良いが、高剛性部Ｐとして前述した剛性の範囲を得る観点から、特にポリスチレン、ポリエチレンテレフタレート等が好ましく用いられる。
【００２６】
本実施形態の毛髪保持体２について、更に説明すると、筒状体２０の他端部には、筒状体２０の内部に注入された染毛剤が、注入口２２から流れ出ることを防止するために、開閉自在の封止手段（図示せず）が設けられていることが好ましい。前記封止手段としては、例えば、チャックが挙げられる。チャックが設けられることにより、注入口２２の開閉が行なえる。封止手段としては、チャックの他に、面ファスナ、粘着テープ、自己接着性テープ（例えば仁礼工業製、商品名「ふしぎテープ」）などを用いることもできる。
【００２７】
また、前記封止手段としては、アルミ箔のように可塑性を有し、折り畳んだ状態が維持される部材を筒状体２０に接合して、封止手段とすることも好ましい。例えば、筒状体２０と同じ幅の縦長矩形のアルミ箔を、筒状体２０の他端部側の端縁とアルミ箔の端縁とを揃えて接合する。アルミ箔が接合された他端部の部分を、一端部側に向けて一回又は複数回折り畳むことにより、筒状体２０の他端部が封止される。
【００２８】
毛髪保持体２には、筒状体２０の注入口２２の近傍に充填袋３０の口部３１を挿入する量の目安となる目印２６が付されていることが好ましい。充填袋３０の口部３１の一定量を注入口から挿入することができるようになり、注入口２２から処理剤が漏出するおそれがない。ここで、注入口２２の近傍とは充填袋３０を注入口２２から挿入し、充填袋３０をしごいて染毛剤を筒状体２０内に注入する際の反発力で充填袋３０が注入口２２からはずれたり、注入口２２から処理剤が漏出しない程度の範囲を指し、目印２６の位置は、注入口２２から２０〜６０ｍｍの位置が好ましい。なお、目印２６は保持体２の内面または外面に印刷等適宜の方法で付することができる。
【００２９】
毛髪処理剤入り充填袋３は、開封したときに注入口２２に挿入可能な先細の口部３１が形成されるように外縁がほぼ平行四辺形形状に設けられている。このような形態は、充填袋３０を量産する場合に無駄な部分が発生しないため、生産性に優れている。図３に示すように、本実施形態では、充填袋３０の周縁部は、染毛剤の充填空間Ｓ３０の外輪郭が平面視して平行四辺形形状となるように所定幅でシールされている。充填袋３０には、前記充填空間Ｓ３０の外輪郭の鋭角部分口部３１を開封することによって、注ぎ口３２が形成されるように切り込み３３が設けられている。充填袋３０の形成材料としては、アルミニウム蒸着フィルムやアルミニウム箔、エチレンビニルアルコールコポリマーのようなバリア性材料を、ポリエチレン樹脂やエチレン酢酸ビニル樹脂などの低融点の合成樹脂でサンドウィッチしたフィルム等が好ましく用いられる。また、シール方法は、形成材料に合わせて接着剤によるシール方法を採用してもよいし、ヒートシールや超音波シール等のシール方法を採用してもよい。
【００３０】
充填袋３０に封入される染毛剤には、従来からこの種の染毛処理に使用される染毛剤を特に制限なく採用することができる。処理剤の充填量は、毛髪保持体２の大きさや保持する毛髪束の量にもよるが、本実施形態のような染毛剤の場合には、２〜２０ｍｌが好ましい。
【００３１】
次に、本発明の毛髪処理方法の好ましい実施形態を、前述の毛髪処理具１を使用した毛髪処理方法に基づいて説明する。
【００３２】
先ず、図４（ａ）に示すように、処理を施す毛髪束Ｈを毛髪保持具２の挿入口２１から筒状体２０内に挿入して保持する。染毛する際に用いる筒状体２０の長さは、毛髪束Ｈの長さよりも長いものを用いることが、毛髪束Ｈ全体を染毛する上で好ましい。
【００３３】
毛髪束Ｈを挿入口２１から筒状体２０の内部へ挿入するときには、毛髪挿入具（図示せず）を用いることが好ましい。この毛髪挿入具は、一方の端部には毛髪束Ｈを係止するための係止部を有し、他方の端部には、把持部を有していることが好ましい。毛髪挿入具は、毛髪保持体２内に挿入されて使用される。毛髪挿入具は、毛髪保持体２内に挿入された状態では、前記係止部が挿入口２１から露出し、把持部が注入口２２から露出する長さのものが好ましい。このような毛髪挿入具としては、例えば、特開２００３−９３１３３号公報又は米国特許出願公開第２００４／２１６７５９号の明細書等に記載のものが挙げられる。
【００３４】
染毛する際に用いる毛髪保持体２における筒状体２０の長さは、毛髪束Ｈの長さよりも長いものを用いることが、毛髪束Ｈ全体を染毛する上で好ましい。
【００３５】
そして、前記毛髪挿入具の係止部に毛髪束Ｈを係止する。この際、毛髪束Ｈの頭皮に近い部分を係止部に係止することが好ましい。係止部に毛髪束Ｈを係止した状態で、把持部を引っ張り、毛髪束Ｈを筒状体２０の内部に挿入する。毛髪束Ｈは、筒状体２０の内部で、図４（ａ）に示すように、概ね直線状に伸ばされた状態となる。
【００３６】
毛髪保持体２は、図４（ａ）〜（ｃ）に示すように、一端部の挿入口２１から筒状体２０の内部に挿入された毛髪束Ｈに、筒状体２０に注入された染毛剤を、他端部の注入口２２側から一端部の挿入口２１へ向かって筒状体２０をしごいて塗り広げて、毛髪束Ｈを筒状体２０の内部で染毛処理するために用いられることが好ましい。染毛処理の際には、筒状体２０の長手方向において、挿入口２１を有する一端部側を上方にし、注入口２２を有する他端部側を下方に位置させることが好ましい。
【００３７】
次に、図４（ａ）に示すように、染毛剤Ｄが充填された毛髪処理剤入り充填袋３を用い、前記充填袋３０の切り込み３３から開封して注ぎ口３２を形成し、口部３１を筒状体２０の注入口２２に挿入する。そして、充填袋３０をしごいて染毛剤Ｄを筒状体２０内に注入する。
【００３８】
次に、図４（ｂ）に示すように、毛髪保持体２の他端部を両手で摘み、一方の手で他端部を摘んだ状態で、図４（ｃ）に示すように、注入口２２側から挿入口２１へ向けて、筒状体２０の両面を他方の手の指でしごき、染毛剤を毛髪束Ｈに塗り広げる。
【００３９】
このとき、他方の指が、筒状体２０のしごく範囲の終点Ｅを示す部位において、該終点Ｅを示す部位の段差を視認しそれに触れることで、筒状体２０をそれ以上しごくことを止めることができるため、染毛剤が挿入口２１から漏れ出ることが防止される。本実施形態の毛髪保持体２において、終点Ｅを示す部位は、前述のように触覚的及び視覚的に認知され得る。
【００４０】
また、筒状体２０がしごかれることにより、筒状体２０の内部の染毛剤は、注入口２２側から挿入口２１へ向けて、毛髪を浸しながら移動し、終点Ｅを示す部位までしごかれて移動した染毛剤の残りの部分により、終点Ｅを示す部位よりも挿入口２１側の毛髪束Ｈの部分が染毛される。
【００４１】
本実施形態では、充填袋３０の注ぎ口３２から筒状体２０の注入口２２を通して注入される染毛剤は、筒状体２０の内部に挿入された毛髪束Ｈ全体に塗布できる適量であるので、終点Ｅを示す部位までしごかれて移動した染毛剤は、挿入口２１から漏れ出るおそれがない。
【００４２】
毛髪束Ｈ全体に塗布を終えた後、前記封止手段が筒状体２０に設けられている場合には、該封止手段によって注入口２２を封止することが好ましい。
【００４３】
所望により、複数の毛髪保持体２を用いて同様の染毛剤の塗布操作を繰り返し、所定時間放置する。その後、毛髪束Ｈを、毛髪保持体２から取り出し、すすぎ洗いをし、更にシャンプー及びブローをすることが好ましい。
【００４４】
以上説明したように、本実施形態の毛髪処理具を用いた毛髪処理方法によれば、毛髪保持体２と適量の染毛剤が封入された毛髪処理剤入り充填袋３とが一対となっているため、適量の処理剤を確実に供給可能になり、処理剤の過不足による染めムラ等を無くすことできる。また、毛髪に部分的に違った色で染毛処理を施す場合でも、無駄なく行うことができる。また、異なる色で染毛処理を行うときにも、処理剤の誤使用による染め間違いを防ぐことができる。
【００４５】
また、本実施形態の毛髪保持体２によれば、筒状体２０をしごく範囲の終点Ｅを示す部位が、触覚的に分かるようになされているので、例えば、一人で自分の毛髪の染毛処理を行う際にも、染毛剤が筒状体２０から漏れ出ることがない。
【００４６】
図５は、本発明の毛髪処理具の第２実施形態を示したものである。第２実施形態の毛髪処理具１’は、毛髪処理剤入り充填袋３’の形態が異なる以外は、第１実施形態の毛髪処理具と同様の構成である。よって、以下においては、毛髪処理剤入り充填袋３’について説明し、毛髪保持体についての説明は省略する。また、特に説明のない部分については、前記第１実施形態における説明が適宜適用される。
【００４７】
本実施形態の毛髪処理剤入り充填袋３’は、前記毛髪処理剤が二種類の処理剤が封入されている。充填袋３０’は、図６に示すように、前記各処理剤を個別に収容した袋３０Ａ、３０Ｂが一体化されて設けられている。
【００４８】
前記処理剤を個別に収容した袋３０Ａ、３０Ｂは、何れかの袋の一つの面が充填袋を構成する袋のそれ以外の面よりも剛性が高く設けられていることが好ましい。このように充填袋を構成する袋の面の剛性を高めておくことで、切り込み３３Ａや３３Ｂを開封して注ぎ口を形成するときに形成し易くなるほか、注ぎ口から剤を注入するときにも充填袋３０’を絞りやすくなる。剛性を高める面は、最も外側の面が好ましい。袋３０Ａと３０Ｂの一体化の方法に特に制限はないが、ホットメルト接着剤や粘着剤を使用した一体化法が好ましい。ここで剛性は、ＪＩＳ−Ｐ８１２５に示される方法で測定されるテーバーこわさで表すことができる。剛性を高める面のテーバーこわさは、１〜１０ｍＮ・ｍであることが、上述の点で好ましい。
【００４９】
袋３０Ａ、３０Ｂに充填する処理剤には、従来からこの種の毛髪処理剤に使用される二剤式の処理剤を特に制限無く採用することができる。また、このような２剤式の処理剤を使用する場合、毛髪処理剤を筒状体２０内に注入後、筒状体内で揉み込むように混合した後に指でしごいて、毛髪束Ｈに塗り広げて使用することが好ましい。
【００５０】
第２実施形態の毛髪処理具１’においても、第１実施形態の毛髪処理具１と同様の効果が奏される。
【００５１】
図７〜１０は、本発明の毛髪処理具の第３〜第６実施形態を示したものである。ただし、第４〜第６実施形態の毛髪処理具は、その特徴部分である毛髪処理剤入り充填袋のみを図示している。
【００５２】
第３〜第６実施形態の毛髪処理具は、毛髪処理剤入り充填袋が、前記充填袋を前記毛髪処理剤の注入口に挿入したときに、該充填袋の抜け落ち防止構造を有している点、及び毛髪処理剤入り充填袋が、左右対称の毛髪処理剤の収容空間を有しており、二種類の毛髪処理剤が封入されている点以外は、前記第１実施形態の毛髪処理具と同様の構成である。ここで、充填袋の抜け落ち防止構造とは、充填袋を毛髪保持体の注入口に挿入して毛髪処理剤を注入するときには該充填袋が注入口から抜け落ちることがなく、一方、処理剤の注入が完了した後は人手で容易に充填袋を取り外すことができる構造をいう。これらの実施形態の毛髪処理具において、毛髪処理剤入り充填袋は、対称軸である折曲線に沿って充填袋を半分に折り、当該上端部を開封して注ぎ口を形成し、毛髪保持体の他端部にある注入口に挿入して使用される。以下各実施形態について説明するが、特に説明のない部分については、前記第１実施形態における説明が適宜適用される。
【００５３】
図７に示す第３実施形態の毛髪処理具は、毛髪保持体２の幅と充填袋３０”の幅とを、特定の寸法関係とし、両者間の摩擦力によって当該充填袋の抜け落ち防止構造を有するように設けられている。
【００５４】
本実施形態においては、毛髪保持体２を構成する短冊状のシート２３、２３の接合部分である両側部２４、２４を除いた部分の幅をＷ２とした場合に、半分に折られたときの毛髪処理剤入り充填袋３”の最大外形幅Ｗ３を、Ｗ２の０．９〜１．２倍とすることが好ましく、１．０〜１．１倍の寸法にすることがより好ましい。また、開封によって注ぎ口３２”形成される充填袋３０”の上端部は、図７（ｂ）及び（ｃ）に示すように、山形に形成し、上端に進むにつれて充填袋３０”の幅を徐々に狭くすることが、充填袋３０”の注ぎ口３２”の挿入のし易さの観点で好ましい。充填袋３０”の上端部は、本実施形態のように、直線的に幅を狭くすることもできるし、曲線的に幅を狭くすることもできる。
【００５５】
本実施形態の毛髪処理具は、上記第１実施形態による効果と同様の効果に加え、毛髪の処理の際に充填袋が脱落するおそれがないので、より使いやすいものである。
【００５６】
図８に示す第４実施形態の毛髪処理具は、毛髪保持体と充填袋との間に、粘着剤の粘着力によって当該充填袋の抜け落ち防止構造を有するように設けられている。毛髪処理剤入り充填袋３”は、対称軸である折曲線Ｃに沿って充填袋３０”を半分に折り、当該上端部を開封して注ぎ口３２”を形成し、毛髪保持体の他端部にある注入口に挿入して使用される。
【００５７】
図８に示すように、第４実施形態の毛髪処理具は、半折された充填袋３０”の外面（毛髪保持体内面と接する面）に粘着剤が塗工されて粘着部３４"が設けられており、この粘着部３４”の粘着力で抜け落ち防止構造が得られるようになしてある。粘着剤部３４”は充填袋３０”の注ぎ口先端から１５ｍｍの位置に直径約５ｍｍの円状に塗布することが、充填袋の挿入のし易さ及び良好な着脱可能な状態を得る観点で好ましい。粘着部３４”は、本実施形態のように、充填袋３０”の外面の両面に設けることが好ましいが、片面でもよい。粘着剤には、一般的に使用される粘着剤が特に制限無く使用できるが、毛髪処理剤を毛髪保持体内に注入した後に該充填袋を人手によって抜き取ることができる程度の粘着力の粘着剤を使用することが好ましい。
【００５８】
本実施形態の毛髪処理具は、上記第１実施形態による効果と同様の効果に加え、毛髪の処理の際に充填袋が脱落するおそれがないので、より使いやすいものである。
【００５９】
図９に示す第５実施形態の毛髪処理具は、毛髪保持体と充填袋とを係止させることによって当該充填袋の抜け落ち防止構造を有するように設けられている。
【００６０】
図９に示す第５実施形態の毛髪保持具においては、半分に折られた充填袋３０”の当該折られて形成された稜線上に係止凸部３５”が設けられている。係止凸部３５”の形状は、充填袋３０”の注ぎ口３２”から該充填袋３０”の底部に向かって幅が広がるような矢先形状であることが脱落を防止する点で好ましい。該係止凸部３５”は、充填袋３０”とは別の部材を充填袋３０”に取り付けて設けてもよいし、充填袋３０”をカッティング加工してその外面の一部が係止部となるようにカッティング加工して設けてもよい。係止凸部３５”の位置は充填袋３０”の注ぎ口先端から２０ｍｍの位置に、また、第３実施形態と同様に、半分に折られた毛髪処理剤入り充填袋の最大外形幅Ｗ３を、係止凸部３５”の返しの突出高さｈを含めて、好ましくはＷ２（図７（ａ）参照）の０．９〜１．２倍、更に好ましくは１．０〜１．１倍の寸法にすることが、充填袋３の挿入のし易さ及び良好な着脱可能な状態を得る観点で好ましい。本実施形態では、半分に折られて形成された稜線上に係止凸部を設けたが、係止凸部は、充填袋３０”の外面の少なくとも片側に設けても良い。また、係止凸部３５”の返しの高さｈは適宜設計されるが、２〜５ｍｍが好ましく、徐々に最大幅になるよう滑らかに形成されることが好ましい。
【００６１】
本実施形態の毛髪処理具は、上記第１実施形態による効果と同様の効果に加え、毛髪の処理の際に充填袋が脱落するおそれがないので、より使いやすいものである。
【００６２】
図１０に示す第６実施形態の毛髪処理具は、折られた充填袋が元に戻ろうとする反発力を利用することによって、当該充填袋の抜け落ち防止構造を有するように設けられている。
【００６３】
本実施形態の毛髪処理具は、第３実施形態の毛髪処理具と同様に、毛髪保持体２を構成する短冊状のシート２３、２３の接合部分である両側部２４、２４を除いた部分の幅をＷ２（図７（ａ）参照）とした場合に、半分に折られたときの毛髪処理剤入り充填袋３”の最大外形幅Ｗ３を好ましくはＷ２の１．２〜２．０倍、更に好ましくは１．３〜１．８倍の寸法とし、また、開封によって注ぎ口３２”形成される充填袋３０”の上端部は、山形に形成し、上端に進むにつれて充填袋３０”の幅を徐々に狭くすることが、充填袋の挿入のし易さ及び良好な着脱可能な状態を得る観点で好ましい。更に充填袋３０”の折り返した部分周辺の処理剤が供給され易くするため、対称軸である折り曲げ線Ｃを中心にシール幅Ｗ３６が１〜２ｍｍ程度のヒートシール部３６”を設けて、該部分に処理剤が充填されることを防止することが好ましい。
【００６４】
本実施形態の毛髪処理具は、上記第１実施形態による効果と同様の効果に加え、毛髪の処理の際に充填袋が脱落するおそれがないので、より使いやすいものである。
【００６５】
本発明の毛髪保持具は、前述した実施形態に制限されることなく、本発明の趣旨を逸脱しない限り適宜変更が可能である。
【００６６】
例えば、毛髪処理剤としての染毛剤を一端部の挿入口２１から筒状体２０に注入し、毛髪束の毛先に向かって筒状体２０をしごいて塗り広げることもできる。この場合には筒状体２０の注入口２２には、筒状体２０の内部に注入された染毛剤が流れ出ることを防止するために、前述封止手段が設けられているか、ヒートシール等のシール方法によって封止されていることが好ましい。この場合には、筒状体２０における終点Ｅを示す部位が、封止端の近傍に設けられていることが好ましい。
【００６７】
また、前記実施形態では、筒状体のしごく範囲の終点を、厚み（段差）、色及び剛性の違いよって認識できるようにしたが、何れか一つの手法を採用することもできる。
また、厚み、色、剛性の違い以外に、表面粗さや材質の違い等によって終点を認識できるようにすることもできる。この場合、表面粗さＲｚ（十点平均粗さ）の間に、１０μｍ以上の差があれば、終点Ｅを示す部位は、触覚的及び視覚的に認知され得る。具体的には、シート片２５として、シート２３よりも表面粗さの大きい材質、例えば不織布を用いれば良い。
【００６８】
本発明の毛髪保持具は、前記実施形態において、シート片２５は一対のシート２３，２３それぞれとは別な部材であったが、一対のシート２３，２３それぞれと一体的に形成されていても良い。また、第１、第２実施形態の毛髪保持体２において、シート片２５は平らな板状であったが、シート片は、凹凸を有していても良い。また、シート２３における高剛性部Ｐの部分は、シート２３の他の部位とは異なる色に着色されていて、シート２３の他の部位と同じ剛性を有していても良い。
【００６９】
また、第１、第２実施形態の毛髪保持体２において、終点Ｅを示す部位は、筒状体２０の厚み方向に段差を有していたが、段差の代わりに、なだらかな傾斜を有していても良い。この場合にも、一端部の挿入口２１の近傍は、他の部位よりも厚みが大きいため、終点として機能する。また、第１、第２実施形態の毛髪保持体２において、終点Ｅを示す部位は、他の部位よりも厚みが大きく形成されていたが、終点Ｅを示す部位は、他の部位よりも厚みが小さく形成されていても良い。
【００７０】
また、第３実施形態〜第５実施形態の毛髪処理具においては、毛髪処理剤入り充填袋を左右対称とし、その対称軸である折り曲げ線に沿って充填袋を折り曲げて髪保持体の他端部にある注入口に挿入するようにしたが、充填袋を半分に折ることなく、初めから充填袋の形状を折り曲げた状態の外形、即ち、一辺のみが傾斜している矩形形状にしても良い。つまり、第３実施形態においては、充填袋を一辺のみが傾斜している矩形形状にし、Ｗ２とＷ３の寸法関係を前述の通りにすれば充填袋を注入口に挿入した際に、充填袋の抜け落ちが防止される構造とすることができる。第４実施形態においては、充填袋を一辺のみが傾斜している矩形形状にし、充填袋の外面の少なくともどちらかの一方の面に粘着剤による粘着部分を設けることにより充填袋の抜け落ちを防止できる構造とすることができる。さらに第５実施形態においては、充填袋の外面上に係止部を設けることにより、充填袋の抜け落ちを防止できる構造とすることができる。
【００７１】
さらに、第６実施形態においては、初めから充填袋の形状を図１１の様な例えば一辺のみが傾斜している矩形形状にして、任意の折り曲げ線Ｃ”で折り曲げ、図１１で示す斜線部分（折り曲げ線Ｃ”の左側部分）を全てヒートシールしてシール部３７”を形成し、該シール部３７”に処理剤が充填されることを防止することによって、充填袋３０”の折り返した部分周辺の処理剤が供給され易くすることができ、且つシール部３７”が元に戻ろうとする反発力を利用することにより、充填袋の抜け落ちを防止する構造とすることができる。
【００７２】
毛髪処理剤入り充填袋は、筒状体の注入口に挿入可能な形態であれば特に制限はない。例えば、前記実施形態以外に、図１２（ａ）に示すような平面視して台形状の外形を有する形態の充填袋３０’や図１２（ｂ）に示すような先細の突出部を有する形態の充填袋３０’を採用することもできる。この場合図の破線の部分を切り取って注ぎ口を形成するように設けることが好ましい。
【００７３】
各実施形態における要件は、適宜、実施形態間で相互に置換可能である。
【００７４】
また、本発明の毛髪保持具は、前記実施形態におけるような染毛処理以外に、ストレートパーマネント処理に適用することもできる。
【図面の簡単な説明】
【００７５】
【図１】本発明における毛髪処理具の一実施形態を示す斜視図である。
【図２】同実施形態における毛髪保持具を示す図であり（ａ）は平面図、（ｂ）は（ａ）のＸ−Ｘ線断面図である。
【図３】同実施形態における毛髪処理剤入り充填袋を示す平面図である。
【図４】同実施形態の毛髪処理具の使用方法を模式的に示す図であり、（ａ）は毛髪保持体に毛髪処理剤入り充填袋の口部を挿入して注ぎ口から処理剤を注入している状態を示す図であり、（ｂ）は毛髪保持体をしごく前の状態を示す図であり、（ｃ）は毛髪保持体をしごいている様子を示す図である。
【図５】第２実施形態を示す斜視図である。
【図６】第２実施形態における毛髪処理剤入り充填袋の分解斜視図である。
【図７】本発明の第３実施形態を模式的に示す平面図であり、（ａ）は毛髪保持体、（ｂ）は毛髪処理剤入り充填袋を広げた状態、（ｃ）は二つ折りの状態を示す図である。
【図８】本発明の第４実施形態における毛髪処理剤入り充填袋を模式的に示す平面図であり、（ａ）は広げた状態を示す図、（ｂ）は二つ折りの状態を示す図である。
【図９】本発明の第５実施形態における毛髪処理剤入り充填袋を模式的に示す平面図であり、（ａ）は使用前の状態を示す図、（ｂ）はＡの部分の拡大図である。
【図１０】本発明の第６実施形態における毛髪処理剤入り充填袋を二つ折りの状態で模式的に示す平面図（図７（ｃ）相当図）である。
【図１１】本発明の他の実施形態における毛髪処理剤入り充填袋を模式的に示す平面図である。
【図１２】（ａ）及び（ｂ）は、本発明の他の実施形態における毛髪処理剤入り充填袋を模式的に示す平面図である。
【符号の説明】
【００７６】
１、１’  毛髪処理具
２  毛髪保持体
２０  筒状体
２１  挿入口
２２  注入口
２３  シート
２４  側縁部
２５  シート片
３、３’、３”  毛髪処理剤入り充填袋
３０、３０’、３０”  充填袋
３１  口部
３２、３２”  注ぎ口
Ｄ  染毛剤（毛髪処理剤）
Ｐ  高剛性部
Ｈ  毛髪束
【図１】
2008061961.tif 000003
【図２】
2008061961.tif 000004
【図３】
2008061961.tif 000005
【図４】
2008061961.tif 000006
【図５】
2008061961.tif 000007
【図６】
2008061961.tif 000008
【図７】
2008061961.tif 000009
【図８】
2008061961.tif 000010
【図９】
2008061961.tif 000011
【図１０】
2008061961.tif 000012
【図１１】
2008061961.tif 000013
【図１２】
2008061961.tif 000014